Podtech/llm-jp-corpus-v4-ja_patent huggingface dataset:
(57)【要約】【課題】片麻痺者の片手駆動操縦に於ける安定走行・操作化。【解決手段】車輪軸を中空軸とし、外側より爪付きカップ形のスポーク嵌込式軸１を軸芯貫通させ、反輪側の駆動手段を屈折性伝動軸で導き一体固定化された反輪駆動ハンドル５・正規駆動ハンドル６を近接一体的摺動ハンドルとした、二連式駆動ハンドル方式の車いす。【選択図】  図１
2006141954.tif 000002
【特許請求の範囲】
【請求項１】
イルリポールの座台部が、一辺面欠く、短高立体トラス体型し、下縁部に３以上複数個のキャスター有した、集格納型イルリガードル台。
【発明の詳細な説明】
【発明の詳細な説明】
【技術分野】
【０００１】  医療用イルリガードル台（移動式点滴スタンド）に関する。
【背景技術】
【０００２】  従来のイルリ台の座台部は、十字形又は、五角体の各端部にキャスターが付備したものであった。
【発明が解決しようとする課題】
【０００３】  一時的もしくは、不使用時に収集するにスペース（置場）が必要であった。
【課題を解決するための手段】
【０００４】  平面型座台を短高トラス体とし、欠如した一辺面袋部に互いに集格納化形状にする。
【発明の効果】
【０００５】  連続集格納でき、スペース必要せず整理整頓図れ、何時でも引出せ安全で楽である。
【発明を実施するための最良の形態】
【０００６】  病院等諸医療施設。
【実施例】
【０００７】  一実施例を図１で示し、説明する。【０００８】  イルリガードルスタンドの座台１が、図示で解る様に一辺面部が大きく欠如部２・ポール収め３有し三以上のキャスター４持つ、短高な立体（支点ａ・ｂ・ｃ・ｄ・ｅ）トラス体で有るイルリガードル台。
【産業上の利用可能性】
【０００９】  安全・簡易格納利便性・製品コスト性鑑み、医療現場サイドから見て需要は大きい。
【図面の簡単な説明】
【００１０】
【図１】  Ａは、本発明を示す写図・Ｂは、集格納時写図である。
【符号の説明】
【００１１】  １  座台  ２  欠如部  ３  ポール収め  ４  キャスター  ａ．ｂ．ｃ．ｄ．ｅ  支点
【図１】
2006141954.tif 000003
【手続補正書】
【提出日】平成17年3月22日(2005.3.22)
【手続補正２】
【補正対象書類名】特許請求の範囲
【補正対象項目名】全文
【補正方法】変更
【補正の内容】
【特許請求の範囲】
【請求項１】
爪付きカップ形スポーク嵌込式軸を中空式車軸の芯通し、外側へ軸抜脱屈折軸式又は、中間屈折性軸介し他方輪の中空軸芯貫通その軸に一体固定した反輪駆動ハンドルと正規駆動ハンドルが近接一体的摺動ハンドルで有る、車いす。
【手続補正３】
【補正対象書類名】明細書
【補正対象項目名】全文
【補正方法】変更
【補正の内容】
【発明の詳細な説明】
【技術分野】
【０００１】
福祉用車いすに関する。
【背景技術】
【０００２】
一般的福祉用車いすは、左右両車輪の両手操作法であった。
【発明の開示】
【発明が解決しようとする課題】
【０００３】
片麻痺者等片手しか使えない方に取って、思う様な走行・操作出来なかった。
【課題を解決するための手段】
【０００４】
両車輪軸ピンを中空とし、反輪側伝動軸を導く構造型の片手操作でも自由にコントロール・直進走行出来る片側二連駆動ハンドル法にて解決。
【発明の効果】
【０００５】
両輪同時又は、左右個別駆動等自由に行えて安全・楽で行動範囲が広がる。
【発明を実施するための最良の形態】
【０００６】
両輪の軸のみを中空軸ピンに替え、外側よりスポーク嵌込式屈折性伝動軸を取付る。
【実施例】
【０００７】
一実施例をイラスト図で示し説明する。
【０００８】
両輪中空軸ピン式で、外側より爪付きカップ形のスポーク嵌込式軸１を導き、ウェーブチューブ管軸２介し、正反側中空軸の芯貫通（内接メタル３有り）させ軸４に一体固定し、反輪駆動ハンドル５の外周部が正規駆動ハンドル６の内周部溝７に近接一体的摺動ハンドルとした片側二連式の車いす。
【産業上の利用可能性】
【０００９】
脳障害に依る片麻痺者は、非常に多く現車いす使用者数含め需要は多い。
【図面の簡単な説明】
【００１０】
【図１】全体現わすイラスト図。
【図２】車いす折畳時の屈折軸一例（ウェーブチューブ管軸変形）図。
【符号の説明】
【００１１】
１  スポーク嵌込式軸
２  ウェーブチューブ管軸
３  メタル
４  軸
５  反輪駆動ハンドル
６  正規駆動ハンドル
７  内周部溝
【手続補正４】
【補正対象書類名】図面
【補正対象項目名】全図
【補正方法】変更
【補正の内容】
【図１】
2006141954.tif 000004
【図２】
2006141954.tif 000005
(57)【要約】      （修正有）【課題】片手操作使用でも自由にコントロール出来る車いすを提供する。【解決手段】片輪軸心に、外側スポーク嵌込式軸１を導き、ウエーブチューブ管軸２を介し、正反側の中空軸の芯貫通させ、その軸４に一体固定した反輪駆動ハンドル５で、正規駆動ハンドル６の片側二連式とした。【選択図】図１
2006141960.tif 000002
【特許請求の範囲】
【請求項１】
両輪共中空軸ピンとした車輪で、一方の片輪軸芯に、外側スポーク嵌込式軸を導き、ウェーブチューブ管式軸・板状アコーデオン型クロスジョイント若しくは、撓み板バネ式・撓みワイヤー式・抜出し屈折軸式等伝道軸介し、正反側車輪の中空軸芯貫通させその軸に一体固定の反輪ハンドル式で、正規輪の二連式駆動ハンドルとした、片側両輪駆動式車いす。
【発明の詳細な説明】
【発明の詳細な説明】
【技術分野】
【０００１】  身障者等の車いすに関する。
【背景技術】
【０００２】  一般的車いすは、フリー車輪車の両手操作（駆動ハンドル）であった。
【発明が解決しようとする課題】
【０００３】  片麻痺者等片手しか使えない方に取って、思う様な走行・操作出来なかった。
【課題を解決するための手段】
【０００４】  片手操作使用でも自由にコントロール出来る、片側二連駆動ハンドル法にて解決。
【発明の効果】
【０００５】  両輪同時又は、左右個別駆動等自由に行え安全・楽で行動範囲が広がる。
【発明を実施するための最良の形態】
【０００６】  両車輪軸を本発明中空軸に取替え必要部品セット又は、予め取付た車いすとする。
【実施例】
【０００７】  一実施例を図１イラスト図で示し、説明する。【０００８】  両輪中空軸ピン式で片輪軸芯に、外側スポーク嵌込式軸１を導き、ウェーブチューブ管軸２式介し、正反側の中空軸の芯貫通（内接メタル３あり）させ、その軸４に一体固定した反輪駆動ハンドル５式で、正規駆動ハンドル６の片側二連式とした、片側両輪駆動式車いす。
【産業上の利用可能性】
【０００９】  片手にて両輪操作でき長寿命化時代にて、現使用者数含め需要は大きい。
【図面の簡単な説明】
【００１０】
【図１】Ａ  透視イラスト図・Ｂ  車いす折畳時のウェーブチューブ管軸変形図。
【符号の説明】
【００１１】  １  スポーク嵌込式軸    ２  ウェーブチューブ管軸    ３  メタル
４  軸      ５  反輪駆動ハンドル    ６  正規駆動ハンドル
【図１】
2006141960.tif 000003
【手続補正書】
【提出日】平成17年3月22日(2005.3.22)
【手続補正２】
【補正対象書類名】特許請求の範囲
【補正対象項目名】全文
【補正方法】変更
【補正の内容】
【特許請求の範囲】
【請求項１】
傘の天骨長さ同一で骨数が、二本を近接１組とした４組体で取付角、鋭角と鈍角を対面状に配した略、長方型の洋傘及び、その形状・構造応用したフード。
【手続補正３】
【補正対象書類名】明細書
【補正対象項目名】全文
【補正方法】変更
【補正の内容】
【発明の詳細な説明】
【技術分野】
【０００１】
洋傘・フード体。
【背景技術】
【０００２】
従来の一般的洋傘は、天骨組が等角取付体にて二人使用時均等に覆うせ無かった。
【発明の開示】
【発明が解決しようとする課題】
【０００３】
変形傘の強度保持及び、持手と相手方均等化し又、その形状体を利用し別目的（フード体）を開拓する。
【課題を解決するための手段】
【０００４】
天骨組の骨を近接二本化し、取付角を鋭・鈍の対面角にした略長方形状にて解決。
【発明の効果】
【０００５】
一本の傘にて二人使用際の雨天・日照り避けの均等化が図れる。
【発明を実施するための最良の形態】
【０００６】
アベック用洋傘及び、その形状利用しベッド用簡易排気フード体とし使用される。
【実施例】
【０００７】
一実施例をイラスト図で示し説明する。
【０００８】
傘芯棒１の天骨組２は、同一長で二本を近接１組とした４組体で構成、その取付角を鋭角３・鈍角４の組合せとした略長方型の洋傘及び、ベッド用排気フード体で有る。
【産業上の利用可能性】
【０００９】
新しいアベック用モダン傘として需要は大きく、別用途（フード体）にも利用出来る。
【図面の簡単な説明】
【００１０】
【図１】天骨組の取付角現わす全体形状図である。
【符号の説明】
【００１１】
１  芯棒
２  天骨組
３  鋭角
４  鈍角
【手続補正４】
【補正対象書類名】図面
【補正対象項目名】全図
【補正方法】変更
【補正の内容】
【図１】
2006141960.tif 000004
(57)【要約】      （修正有）【課題】  寝具・ベッド周囲部の悪臭汚染空気の除去排出し、感染予防図るフードの取付・収納性を良くする。【解決手段】  天吊りフード１は取付容易な機能性を有した軽く柔らかい非通気性紙・フィルム・シート状等の素材製フード体で、寝具・ベッド上部全面覆い状に吊下げ、臭い感知センサーの反応のもとに、天吊りフード１の一部の貫通穴からダクト伸縮管２を通じて排気ファン３により強制的に自動排気させる福祉・育児用簡易排気器。【選択図】      図１
2006141959.tif 000002
【特許請求の範囲】
【請求項１】
寝具・ベッド上部等に、脱臭機能目的とした折畳み縮小素材製又は、長方傘式の吊下げ式フード体に、直接屋外へ導くダクト管・排気扇備えた福祉・育児用簡易排気器。
【発明の詳細な説明】
【発明の詳細な説明】
【技術分野】
【０００１】  福祉・育児用寝具・ベッドの付属装置に関する。
【背景技術】
【０００２】  排泄時等の悪臭除去法に、自然換気・部屋換気扇・消臭剤散市等で有った。
【発明の開示】
【発明が解決しようとする課題】
【０００３】  寝具・ベッド周囲の悪臭、埃、雑菌等の直接除去・排出等の環境改善及び、簡易取付と撤去性。
【課題を解決するための手段】
【０００４】  寝具全体上部に、軽量な脱臭性等機能性有したシート材製フードを吊り、伸縮管を介し直接外へ強制排気する。
【発明の効果】
【０００５】  安価な方法で、寝具周囲部の環境性が一揆に高められ、保護介護者及び、周囲者にも迷惑掛からなくなり、不必要時も何時でも取外せ収納して置ける。
【発明を実施するための最良の形態】
【０００６】  一般各家庭、老人等抱える在宅寝具、医療・施設ベッド、育児ベッドの上にセットし使用供する。
【実施例】
【０００７】  一実施例をイラスト写図で示し、説明する。【０００８】  天吊りフード１は、柔らかい非通気性紙・フィルム・シート状等で機能性（脱臭・空気清浄・抗菌・吸着・調湿・ミネラル分発生・癒し潤うマイナスイオン・防虫・香り遠赤外線等）⇒光触媒紙・炭成分配合・ヒバ檜、桐ハープの天然成分等もつ素材製等で、寝具・ベッド５全体を覆う大きさのものを、天井等より吊下げ可能とする適宜な長さ・本数の吊り紐４（細幅マジックテープでも可）等付けてあり、天井に回しネジフック等をセットし、その場所へ掛け吊下げられる又、素材色調も違和感なく落ち着く色柄で成る。【０００９】  内部空気排出は、天吊りフード１一部に貫通穴有し一体的薄膜ダクト伸縮管２内を導かれ、室外（家外）まで伸び出された先端位置に軸流排気ファン３セット、臭い感知センサーの反応のもと自動的に作動排出される、尚、天吊りフード１は長方型傘式に拘る物では無い。
【産業上の利用可能性】
【００１０】  医療医学の発達・食生活改善等にて長寿命化が進み医療介護介助及び、幼児育児の環境含めた安全対策等は、サービス産業の重要なテーマあり安全確実安価な寝具ベッド周囲環境機器等は、社会的責務で有り近年の病巣（化学物質汚染⇒アレルギー過敏症・シックハウス症候群・目に見えない細菌粉麈類）の排出遮断等は、現代の社会時代的風潮にてその需要は大きく、早急に解決すべき課題であった。
【図面の簡単な説明】
【００１１】
【図１】  本発明を示すイラスト図である。
【符号の説明】
【００１２】  １      天吊りフード
２      ダクト伸縮管
３      排気ファン
４      吊り紐
５      寝具・ベッド
【図１】
2006141959.tif 000003
【手続補正書】
【提出日】平成17年3月22日(2005.3.22)
【手続補正２】
【補正対象書類名】特許請求の範囲
【補正対象項目名】全文
【補正方法】変更
【補正の内容】
【特許請求の範囲】
【請求項１】
寝具・ベッド上天井部に、吊式折畳み縮小型の長方型傘フード体で、屋外へ導くダクト管・排気扇備えた福祉育児用簡易排気器。
【手続補正３】
【補正対象書類名】明細書
【補正対象項目名】全文
【補正方法】変更
【補正の内容】
【発明の詳細な説明】
【技術分野】
【０００１】
福祉・育児用寝具・ベッドの脱臭排気装置に関する。
【背景技術】
【０００２】
排泄時等の悪臭除去法に、自然換気・部屋換気扇・消臭剤散布等で有った。
【発明の開示】
【発明が解決しようとする課題】
【０００３】
寝具・ベッド周囲の局部的悪臭、埃、雑菌等の直接除去排出等の環境改善及び、フード体の簡易取付と撤去性。
【課題を解決するための手段】
【０００４】
寝具全体上部に、軽量な脱臭性等機能性有したシート材製長方型傘式フード体を吊り、ダクト管を介し直接外へ強制自動排気する。
【発明の効果】
【０００５】
安価な方法で、寝具周囲部の環境性が一騎に高められ保護介護者及び、周囲者にも迷惑掛ける事なく、不必要時も何時でも取外せ収納して置ける。
【発明を実施するための最良の形態】
【０００６】
一般各家庭（寝たきり者抱える在宅）の寝具・医療・施設ベッド育児ベッドの上天井部にフード体を広げ吊下げて、ダクト管端部を屋外に導き使用する。
【実施例】
【０００７】
一実施例を説明する、天吊りフードは、柔らかい非通気性紙・フィルム・シート等の素材製で、寝具（ベッド）５より若干大きめの長方型傘１式で、吊り紐４にて天井（ネジフック）より吊下げられ、内部空気排出は、長方型傘１一部に貫通穴有し、一体的薄膜ダクト管２内を導かれ、室外（屋外）まで延長、先端部に軸流排気ファン３取付けられ臭い感知センサーの反応のもと自動的に作動排出される。
【産業上の利用可能性】
【０００８】
医療医学の発達・食生活改善等にて長寿命化が進み医療介護介助及び、幼児育児の環境含めた対策及び、近年の病巣（化学物質汚染⇒アレルギー過敏症・シックハウス症候群・目に見えない細菌粉塵類）の排出遮断等は、現代の社会時代的風潮にてその需要は大きい。
【図面の簡単な説明】
【０００９】
【図１】本発明を示すイラスト図である。
【符号の説明】
【００１０】
１  長方型傘
２  ダクト管
３  排気ファン
４  吊り紐
５  寝具（ベッド）
【手続補正４】
【補正対象書類名】図面
【補正対象項目名】全図
【補正方法】変更
【補正の内容】
【図１】
2006141959.tif 000004
(57)【要約】【課題】杖の転倒防止及び、夜間歩行の安全化。【解決手段】杖の持つ機能損なわせず杖先より若干上方部に、立体トラス体４を形成するソフトで高復元・適宜な強度の成型加工製で夜光反射シール５又は、夜光性素材入り成型品にて解決した、安全杖スタンド。【選択図】  図１
2006141956.tif 000002
【特許請求の範囲】
【請求項１】
車いすの一部に張出ステーを複数のネジ等にて取付、張出先端のその位置支点に上下・旋回し得る片持ち式荷物用バスケット又は、荷台有しその蓋がテーブル化兼ねた、車いす用バスケット。
【発明の詳細な説明】
【発明の詳細な説明】
【技術分野】
【０００１】  身障者等の車いす付帯品（荷物用バスケット・荷台・蓋兼テーブル）に関する。
【背景技術】
【０００２】  車いす生活者の外出時に於ける、手荷物類を運ぶ際、膝上・手押しハンドル部に吊下げる（一人で出来ない）等又、作業食事台不備にて大変であった。
【発明が解決しようとする課題】
【０００３】  手荷物類の運搬及び、作業・食事用テーブルの常備化。
【課題を解決するための手段】
【０００４】  車いすの何れか片方の肘掛前方縦ステーに張出型ステー取付、上下旋回式で解決。
【発明の効果】
【０００５】  荷物を膝上・胸・顎にて支える事無く走行に専念又、テーブルの常備化にて便利。
【発明を実施するための最良の形態】
【０００６】  一般的な外出買い物・遠出・一人旅時又、作業・食事用テーブルとして使用する。
【実施例】
【０００７】  一実施例を図１イラスト図で説明する。【０００８】  車いす肘掛前方部の片方に張出ステー１をネジ等で固定取付、その先端部を支点旋回可とした旋回上下ネジ２調整式片持ち型荷物用バスケット３有し、荷背受バー４上部に蓋兼テーブル５（折テーブル式）を取付て成る、主材はチタン材等が良い。
【産業上の利用可能性】
【０００９】  一人旅買物等活動的な方用又、一般者の車いす用テーブルの必要者は非常に多い。
【図面の簡単な説明】
【００１０】
【図１】  Ａ  前方使用時  ・Ｂ  側方使用時を示すイラスト図である。
【符号の説明】
【００１１】  １張出ステー  ２旋回上下ネジ  ３バスケット  ４荷背受バー  ５蓋兼テーブル
【図１】
2006141956.tif 000003
【手続補正書】
【提出日】平成17年3月22日(2005.3.22)
【手続補正２】
【補正対象書類名】特許請求の範囲
【補正対象項目名】全文
【補正方法】変更
【補正の内容】
【特許請求の範囲】
【請求項１】
差込穴部が縛りバメ体又は、外付け固定法にて杖先上部に固着した際、杖が立位体に成り得るトラス体型の夜間光にて反射する撓性杖スタンド。
【手続補正３】
【補正対象書類名】明細書
【補正対象項目名】全文
【補正方法】変更
【補正の内容】
【発明の詳細な説明】
【技術分野】
【０００１】
身障者、衰えた老人等の歩行補助杖に関する。
【背景技術】
【０００２】
一般的歩行補助杖(ステッキ)を手放した際、倒れ拾い上げる動作等に苦労し危険でも有った、従来はテーブル縁にフック掛け・身体と結ぶループ紐等は有ったが完全独立に立たせる、簡易安全なものは皆無に等しかった。
【発明の開示】
【発明が解決しようとする課題】
【０００３】
一時的もしくは、イス等に着座した際手放しても倒れない様にする。
【課題を解決するための手段】
【０００４】
歩行使用時に違和感無く杖機能を損なわずにその目的果たし且つ、必要強度有す超軽量高圧縮・高復元性ソフトな素材の一体成型品（又は二分割成型の接着固着法等）にて解決。
【発明の効果】
【０００５】
ある条件（垂直状にて手放す）付きでは有るが、杖を立たせられるのでしゃがみ込んで拾う事が無く又、反射シール（又は、蓄光有す材）等にて夜間歩行含め安全・安心・楽で有る。
【発明を実施するための最良の形態】
【０００６】
一般的な（外出等含む）歩行補助杖の先端付近に取付固定し使用する。
【実施例】
【０００７】
一実施例をイラスト図で示し説明する。
【０００８】
歩行補助杖１の先（接地部）より若干の上部の位置（バランスの取れた常識的な位置＝杖が倒れない、杖の長さ・重量持っての安定した立体トラス体４で支点a・b・c・d  関係位置）に成る様、取付穴部２に挿入固定（若干穴径小さく、縛りばめ寸法）、斜め下方に適宜長の脚部３が八字状に二本が突出したもので、その一体成型される素材は、ノンスリップ型高ひずみ高復元性で適宜な硬度強度の発泡ゴム・独立発泡樹脂材（ポリエチレン・フォーム等）製で夜光反射シール５有す、安全杖スタンド又、本実施例では親しみ愛着性得る為、小鳥型にして有るが他の形状・反発性有す金属・樹脂製や疲労変形・磨耗防止の為、中芯にバネ線入りや、より以上の一時的確実保持に一体型な足踏みバー６を設けても良い。
【産業上の利用可能性】
【０００９】
医療医学の発達・食生活改善等にて長寿命化時代が到来し、安全・簡易利便性・製品コスト性鑑み現使用者数含め需要は多い。
【図面の簡単な説明】
【００１０】
【図１】本発明のトラス型現わすイラスト図で有る。
【符号の説明】
【００１１】
１  杖
２  取付穴
３  脚部
４  立体トラス体
５  反射シール
６  足踏みバー
ａ,b,c,d    支点
【手続補正４】
【補正対象書類名】図面
【補正対象項目名】全図
【補正方法】変更
【補正の内容】
【図１】
2006141956.tif 000004
(57)【要約】【課題】  衛生的に寿司をつまみ寿司ネタのみに醤油をつける事が可能な極めて素手に近い寿司つまみ具を提供する。【解決手段】  Ｔ字型のプレートを折り曲げた寿司つまみを用いる事で解決した。【選択図】  図１
2006141966.tif 000002
【特許請求の範囲】
【請求項１】
三本の指を使用し寿司をつまむ器具で、空中で寿司を回転させても寿司ネタが落下する事がなく、シャリに醤油をつける事がなく、寿司ネタのみに醤油をつける事が可能な器具。
【発明の詳細な説明】
【技術分野】
【０００１】  本発明は、衛生的に寿司をつまみ体温で寿司の品質を劣化させる事なく、しかも寿司のネタのみ醤油をつける事を可能にするものである。
【背景技術】
【０００２】  従来は、箸でつまみシャリの部分に醤油をつけてしまうかもしくは、素手でつまんでいた。【０００３】  また従来は、トングの様な道具や寿司の上部から醤油をたらす構造のものがある。【０００４】
【特許文献１】  特開平９−５６５６２
【０００５】
【特許文献２】  特開２００２−２７２５８３
【０００６】
【特許文献３】  特開２００１−２５２１６９
【発明の開示】
【発明画解決しようとする課題】
【０００７】しかしながら手軽に使えて、しかも本来寿司は素手で食べるのが１番良いので、出来るだけ素手に近く衛生的に良いものを必要としている。
【発明の効果】
【０００８】本発明によれば、そのもの本体を安価で製作出来、手軽に使えてしかも素手に極めて近いので寿司ネタのみに醤油をつける事が可能である。
【実施例】
【０００９】本発明の寿司つまみは図１に示される様にＴ字型のプレート（竹、木、プラスチック、その他の樹脂の何れか）を用い製作したもので、親指、人差し指、中指で使用することが出来る。
【産業上の利用可能性】
【００１０】上述発明は、衛生的に寿司をつまみ体温で寿司の品質を劣化させることがなく、しかも寿司ネタのみに醤油をつける事を可能にするものである。
【図面の簡単な説明】
【図１】正面図
【図２】右側面図
【図３】左側面図
【図４】上面図
【図５】斜視図
【図６】本発明を手に持った図
【図７】寿司を持った図
【図８】寿司ネタのみに醤油をつけた図
【図１】
2006141966.tif 000003
【図２】
2006141966.tif 000004
【図３】
2006141966.tif 000005
【図４】
2006141966.tif 000006
【図５】
2006141966.tif 000007
【図６】
2006141966.tif 000008
【図７】
2006141966.tif 000009
【図８】
2006141966.tif 000010
(57)【要約】      （修正有）【課題】降雨時の片手運転防止、自転車への傘常備・盗難防止化を目的とした自転車用傘立て傘防犯収具を提供する。【解決手段】前後角度調整式のクランプ体３で、自転車のハンドル軸に取付られ必要時、傘の芯棒を芯棒入れ１に横より差込、止めネジ２して使用される又、不要時は傘立てと一体である傘入れリング５に差し込み、上端部に柄を置き錠フックプレート６廻し、ロック穴７に南京錠等で鍵掛けする。【選択図】図１
2006141961.tif 000002
【特許請求の範囲】
【請求項１】
杖差込穴が縛りバメ体又は、バンド・クリップ状取付部有し斜め下方に適宜長の脚体が、杖先上方部付近に固定装着した際立体トラス体に成り得る、形状した軟質高復元性心要適宜な硬度強度持つ素材製で、夜間目立ち光り等で反射する、杖スタンド。
【発明の詳細な説明】
【発明の詳細な説明】
【技術分野】
【０００１】  身障者、衰えた老人等の歩行補助杖に関する。
【背景技術】
【０００２】  一般的歩行補助杖（ステッキ）を手放した際、倒れ拾い上げる動作等に苦労し危険でも有り、方法にテーブル縁にフック掛け・身体と結ぶループコード等は有ったが完全独立に立たせる簡易安全なものは皆無であった。
【発明の開示】
【発明が解決しようとする課題】
【０００３】  一時的もしくは、イス等に着座した際手放しても倒れない様にする。
【課題を解決するための手段】
【０００４】  歩行使用時に違和感無く、杖機能を損なわないでその目的果たすに、超軽量高圧縮性・高復元性ソフトな素材（独立気泡ポリエチレン・フォーム材等）の一体成形品をセット挿着にて解決。
【発明の効果】
【０００５】  杖が常に立って居るので、しゃがみ込んで拾う事が無くなり又、反射板等にて夜間歩行含め、安全で安心・楽で、斜め置き時にても左右にズレ倒れる事も無い。
【発明を実施するための最良の形態】
【０００６】  一般的な（外出等含む）歩行補助杖に取付使用する。
【実施例】
【０００７】  一実施例を図１イラスト図で示し、説明する。【０００８】  歩行補助杖１の先（接地部）より若干の上部の位置（バランスの取れた常識的な位置⇒杖が倒れない、杖の長さ・重量持っての安定した立体トラス体４⇒支点ａ・ｂ・ｃ・ｄ  関係位置）に成る様、取付穴部２に挿入固定（若干穴径小さく、縛りばめ寸法）、斜め下方に適宜長の脚部３がハの字状に２本が突出したもので、その一体成型される素材は、ノンスリップ型高ひずみ高復元性で適宜な硬度強度の、発泡ゴム・独立発泡樹脂材（ポリエチレン・フォーム等）で、夜光反射板５有す、杖スタンド。
又、本実施例では、親しみ・愛着性・購買力得る為、小鳥型にして有る。
【産業上の利用可能性】
【０００９】  医療医学の発達・食生活改善等にて長寿命化時代が到来し、安全・簡易利便性・製品コスト性かんがみ、現使用者数含め需要は大きい。
【図面の簡単な説明】
【００１０】
【図１】  本発明を示すイラスト図である。
【符号の説明】
【００１１】  １              杖
２              取付穴
３              脚部
４              立体トラス体
５              反射板
ａ，ｂ，ｃ，ｄ  支点
【図１】
2006141961.tif 000003
【手続補正書】
【提出日】平成17年3月22日(2005.3.22)
【手続補正２】
【補正対象書類名】特許請求の範囲
【補正対象項目名】全文
【補正方法】変更
【補正の内容】
【特許請求の範囲】
【請求項１】
傘芯棒を差込み角度調整式のＣ型縦溝もつクランプ体と、ハンドル中央軸への取付固定部・側下に一体型の傘入れリング且つ、傘盗難防止用錠鍵部有す、自転車用傘立て兼傘防犯収具。
【手続補正３】
【補正対象書類名】明細書
【補正対象項目名】全文
【補正方法】変更
【補正の内容】
【発明の詳細な説明】
【技術分野】
【０００１】
自転車付属用具品。
【背景技術】
【０００２】
自転車用傘立て具のアイデァは、多数有るが実用的に乏しく簡便安全安価な物無く又、傘の常備収納と盗難予防化図ったものは無く、雨天時自転車操縦は大半片手運転で危険で有った。
【発明の開示】
【発明が解決しようとする課題】
【０００３】
降雨時の片手運転防止及び、傘の常備・傘盗難防止化。
【課題を解決するための手段】
【０００４】
必要時いつでも使える様、錠鍵付き傘入れと傘立てを一体加工品にて解決。
【発明の効果】
【０００５】
傘の自転車への常備・盗難予防及び、片手運転防止でき安全で有る。
【発明を実施するための最良の形態】
【０００６】
自転車ハンドル中心部へ取付け（常設）使用される。
【実施例】
【０００７】
一実施例をイラスト図で現わし説明する。
【０００８】
傘芯棒を芯棒入れ１に入れ止めネジ２にて固定、Ｃ型縦溝付きクランプ体３（前後角度調整付）を自転車ハンドル軸に共締め、一体型の錠鍵部４（錠フックプレート６・ロック穴７）付き傘入れリング５から成る構成体で有り、その芯棒入れ１の向きを手前側取付でも良い又、本発明に於いて錠鍵の方法・種類等は問わない。
【産業上の利用可能性】
【０００９】
安全・簡易格納利便性・製品コスト性・環境省エネ等、ライフ生活化鑑み需要は多い。
【図面の簡単な説明】
【００１０】
【図１】本発明示すイラスト図。
【符号の説明】
【００１１】
１  芯棒入れ
２  止めネジ
３  クランプ体
４  錠鍵部
５  傘入れリング
６  錠フックプレート
７  ロック穴
【手続補正４】
【補正対象書類名】図面
【補正対象項目名】全図
【補正方法】変更
【補正の内容】
【図１】
2006141961.tif 000004
(57)【要約】      （修正有）【課題】顔をマッサージするとき水仕事などで荒れた指を使って皮膚が痛くで肌を傷つけることのない顔マッサージ道具を提供する。【解決手段】直径２ｃｍ前後のキャスター２を２個横に並べて棒１の端に木ネジ３で取り付けコロコロと軽く転がし顔や首筋等をマッサージする。マッサージする場所の平たい面はキャスターを２個使い、小鼻や目頭など狭いところは傾けて持ち１個使いにしたりするように持ちやすい棒にしたマッサージ道具。【選択図】図１
2006141969.tif 000002
【特許請求の範囲】
【請求項１】
握りやすい棒の端に小さいキャスターを横に２個並べて取り付けコロコロと転がして顔や首筋などをマッサージする道具である。
【発明の詳細な説明】
【技術分野】
【０００１】本発明は棒の端に小さいキャスターを２個横に並べて取り付け顔などをマッサージする道具である。
【背景技術】
【０００２】顔をマッサージするとき水仕事などで指先が荒れていると皮膚が痛くて肌に傷がつく。
【発明の開示】
【発明が解決しようとする課題】
【０００３】  肌を傷つけることなくマッサージを手軽に出来る道具。
【課題を解決するための手段】
【０００４】  直径２ｃｍ前後のキャスター２個を横に並べて握りやすい棒の端に取り付けコロコロと軽く転がし顔や首筋等をマッサージする。
【発明の効果】
【０００５】  肌を傷つけることなくマッサージが出来肌の張り・顎や首筋・目尻口元等のたるみが解消されフェイスラインが引き締まり若々しくなる。
（因みに私自身２５年間使い続けた結果１０歳以上若くみられる）
【発明を実施するための最良の形態】
【０００６】マッサージする場所の平たい面はキャスターを２個使い、小鼻や目頭など狭いところは傾けて持ち１個使いにしたりするので持ちやすい棒にする。
（因みに棒の長さは１４〜１５ｃｍ）
【図面の簡単な説明】
【０００７】
【図１】約２．５×３．０×１５ｃｍの棒の端に直径２．５ｃｍのキャスターを２個木ネジでとめる。
【符号の説明】
【０００８】  ▲１▼棒  ▲２▼キャスター  ▲３▼木ネジ
【図１】
2006141969.tif 000003
(57)【要約】      （修正有）【課題】現在大人達の間で、ミニチュアのフィギュア、ド−ルハウス、ちょろＱなどのミニカ−など小さい物をコレクションしている人が増えているが、それらの展示スペースや保存方法に限界があった。【解決手段】そこで、テ−ブル又は机の天板の一部若しくは全部の素材をガラス板、アクリル板のような透光性の高い材質を使用し、該天板の下方に引き出しを備えたことを特徴とする、テ−ブル若しくは机を提供する事によって解決しようとする発明である。上記のコレクション以外にも、季節に応じた物、春なら折り紙で作った雛人形、夏なら砂を敷いて貝殻を置けば雰囲気をたのしめる。枯山水の箱庭等、使用する人のセンス次第である。天板面がフラットなので、隠したければクロスをかければ良いし、天板の透光性材質の上に密着性のあるビニ−ルを置けば、割れやすい食器等を置いても安全である。これも使用する人のアイデア次第である。【選択図】図１
2006141965.tif 000002
【特許請求の範囲】
【請求項１】
一部ないし全部が透過性を有する天板と、該天板の下方に引き出しを備えたことを特徴とする、テ−ブル、机、若しくはその他の収納具。
【請求項２】
前記引き出しが、鍵付きの引き出しであることを特徴とする、請求項１に記載のテ−ブル机、若しくは収納具。
【発明の詳細な説明】
【技術分野】
【０００１】従来のただ物を入れるだけの机の引き出しの、天板部分の一部もしくは全部を透過性の材質を使用する事により、自分のコレクションしている小物、作品等を常に目で見て楽しめる。【０００２】例えばダイニングテ−ブル、居間のテ−ブル等、今まで天板の下方に引き出しが付いていなかったテ−ブル類に、天板部分の一部もしくは全部に透過性の材質を使用し、その下方部分に引き出しを付ける事で、自分のコレクションしている小物や自作の作品を入れて目で楽しんだり、レイアウトを変えたり、季節に応じたジオラマの制作も楽しめる。
［発明が解決しようとする課題］【０００３】従来の透光性材質の天板を有するテ−ブルや机は、あくまでも会場等大きな部屋での展示や、デパ−トの宝飾品売り場のような場所での使用であり、庶民の実生活とはかけ離れた場所での使用である。これを、一般の家庭やオフィスで自分の楽しみの為につかえるテ−ブル、机に改良して提供するものである。
［従来の発明との相違点］【０００４】特許文献１記載の発明に係るテ−ブルは、あくまでも製図や間取り図等ある特殊な分野での使用範囲でありテ−ブルの天板の一部の透光性材質の下方の引き出しは、中にいれた入れた図面を透光性材質の天板に密着させる為昇降機を採用しており、ある一定の空間を保って眺める、目で楽しむといった目的を有しない。
［背景技術］【０００５】［特許文献１］  特開２０００−２３６９４９
［発明の開示］
［発明が解決しようとする課題］【０００６】現在大人達の間で、昔流行ったグリコのオマケ付きキャラメルのオマケのおもちゃ、ミニチュアのフィギュア、ちょろＱ、ド−ルハウス等、小さい物をコレクションしている人が増えている。これまでは、宝箱のような箱にしまっておいたり、ド−ルハウスのように額縁の中に張り付けて、壁に飾って楽しむ方法しかなかった。広い部屋があればいくらでも飾るスペ−スもあるだろうが、一般庶民が皆広い家に住んでいるとは限らない。しかし、どこの家にでもあるテ−ブル、机の天板の一部或いは全部を透明のガラス板もしくはアクリル板等の、透過性の高い素材を使用して、その下に引き出しを付ける事により、いつも目で楽しめるし、季節によってレイアウトを変えたり、壁のスペースを考えなくても良くなる。又、引き出しに鍵を付ける事で、イタズラ防止や盗難防止もできる。食卓、居間、オフィス等のテ−ブルや机に活用する事で、趣味もイマジネ−ションも広がると思う。前記以外にも、枯山水の箱庭や、引き出しの底面にコルクボ−ドを敷く事で、虫ピンで止められるので、蝶の標本やルア−のコレクションもずれない。いろいろな楽しみ方は、購入した人のセンス次第である。
［発明実施の形態］【０００７】テーブル、机、その他小物類を収納する収納具の、天板の一部若しくは全部が完全に透明な物、半透明な物、着色透明な物、部分透明な物で、材質は透光性のあるガラス、アクリル板等で構成される。該天板の下方には、鍵付きの引き出しを備えた事を特徴とする。
【図面の簡単な説明】
【０００８】天板の一部を透光性の高い材質で構成する場合は、天板の一部をくりぬいて透光性の高い材質をはめ込むので、天板の表面はフラットで凹凸がない。
【図１】
2006141965.tif 000003
【図２】
2006141965.tif 000004
【図３】
2006141965.tif 000005
【手続補正書】
【提出日】平成17年1月27日(2005.1.27)
【手続補正１】
【補正対象書類名】明細書
【補正対象項目名】０００８
【補正方法】変更
【補正の内容】
［０００８］
［図１］        側面図
［図２］        正面図
［図３］        正面図
(57)【要約】【課題】  風呂に措いて一枚物の丸める事の出来る風呂蓋を使用しない時、入浴中等に、蓋の存在が邪魔になり、置く場所に困る。この事を安全簡単に解決できる支持具を提供したい。【解決手段】    課題を解決するため、風呂内の壁に風呂蓋を、かけ、置く事が出来るＬ形の支持具を提供した。【選択図】  図２
2006141970.tif 000002
【特許請求の範囲】
【請求項１】
風呂の壁に取り付け風呂の蓋をかける為の支持具。
【発明の詳細な説明】
【技術分野】
【０００１】  Ａ４７Ｋ３／００
【背景技術】
【０００２】  現在、一枚物の丸める事の出来る風呂蓋を使用しない時に邪魔にならないように風呂内の壁に風呂蓋をかける事のできる簡単便利な支持具が無かった。
【発明の開示】
【発明が解決しようとする課題】
【０００３】  風呂に措いて一枚物の丸める事の出来る風呂蓋を使用しない時、入浴中等に、蓋の存在が邪魔になり、置く場所に困る。この事を安全簡単に解決できる支持具を提供したい。
【課題を解決するための手段】
【０００４】  課題を解決するため、風呂内の壁に風呂蓋を、かけ、置く事が出来るＬ形の支持具を提供した。
【発明の効果】
【０００５】  本発明の効果により、風呂蓋をしない時に、簡単安全便利に蓋を風呂の壁にかけることが出来、且つ風呂を使用しない時、本発明に蓋をかけて置く事で水切りが出来、蓋にカビを発生させない様に乾燥させる事も可能にした。
【発明を実施するための最良の手段】
【０００６】  本発明品は風呂の壁に取り付け風呂蓋をかける為、取り付け位置や高さを考慮し邪魔にならない位置に取り付けた。又、素材はプラスチック等丈夫で軽い物が良く、抗菌性、坑カビ性の素材でも便利である。又、本発明品は、片持ちタイプでも両サイドから保持タイプでも良いが、両サイドから風呂蓋を保持し、かけたほうが、安定し安全である。又、本発明品を浴槽内の壁に取り付ける為の方法はビスや、両面テープ、接着剤、吸盤と様々考えられる。この効果で任意に適当、妥当、便利な場所に取り付け可能である。又、大小様々なタイプの風呂蓋にも対応可能である。
【実施例】
【０００７】  本発明の蓋かけ壁付け支持具の取り付け位置や高さを浴槽に人が入った時等、入浴の際も考慮し邪魔にならない位置、壁に取り付けた。又、本発明品取り付け方法を両面テープ等移動可能な方法にする事で取り付けると後から別の場所に移動させる事も任意で好きな所につける事も大小様々なタイプの風呂蓋にも対応可能である。又、素材をプラスチックで両サイドから保持するタイプにする事で、安定性を確保した。又、蓋を保持する部分、蓋をかける所の長さや太さは、蓋の重量、長さを考慮し色々なタイプが考えられる。又、本発明品をアニメキャラクター等の手等や動物の手等、色々な擬態、形を施し、壁面にそれらの顔や体のシールを貼る事でお風呂を楽しめる美観を提供する事も成功した。
【産業上の利用可能性】
【０００８】  現在まで、風呂蓋を使用しないとき置き場所に困っていたが、本発明の効果で簡単便利に置く事が可能になり、且つ蓋を干す、水を切ることも可能にした。又、本発明品自体に各キャラクター等の擬態、形を施し壁にそれらの顔、体のシールを壁面に貼る事で、単なる風呂蓋固定の支持具だけでは無く様々なタイプの美観や面白さも提供できた。この事により産業上大変有効である。
【図面の簡単な説明】
【０００９】
【図１】  発明を風呂内の壁に取り付けた状態の斜面図である。
【図２】  発明を風呂内の壁に取り付け蓋をかけた状態の斜視図である。
【符号の説明】
【００１０】１  本発明の風呂蓋かけ壁付け支持具である。
２  風呂蓋である。
３  風呂内の壁である。
【図１】
2006141970.tif 000003
【図２】
2006141970.tif 000004
(57)【要約】【課題】  環境問題が重視される今日、自然資源に関わる問題にも貢献度が高く、手軽に運搬が出来る事を目的とする。【解決手段】  上記の問題を解決すべく、柄、本体、穂先の三つに分けて製造する事にした。【選択図】  図４
2006141917.tif 000002
【特許請求の範囲】
【請求項１】
本発明は箒の穂先を取り替えられるように考案された箒である。
【請求項２】
請求項１に示した箒は柄、本体、穂先の三つから構成される箒である。
【請求項３】
本発明は本体と穂先の製法、即ち本体と穂先の接続部にある。
【請求項４】
本発明は穂材を圧縮加工するパイプにある。
【請求項５】
パイプに穂材を入れ、抜け穂を防止するために請求項３で示す接続部の他に尖った金型で貫通させ、内側にカエリ（バリ）を出す事にある。
【請求項６】
更に抜け穂を防ぐため、水性木工用ボンドを薄めて圧縮する部分に散布する事にある。
【発明の詳細な説明】
【発明の詳細な説明】
【０００１】  本発明は、請求項１〜６までに示した箒であり、先ず製法から説明する。図５で示すパイプに穂材をいれ、穂材を入れた管の内側に数箇所図７のように凹の形になるようにプレス加工する事により穂材が抜けにくくなる。
【０００２】  さらに抜けにくくする為に、図２に示す符号Ｆの穴を、尖った金属でパイプの内側に貫通するようにプレスする事により、抜け穂を防ぐ事が出来る。
【０００３】  又、穂材によってはプレスする前に水性木工ボンドを水で数倍に薄め、パイプに入れた部分の穂材に散布するか、又はその液剤にプレスする穂材を浸けてからパイプに入れてプレス加工する事により、抜け穂を防ぐのにより効果的である。
【０００４】  図１で示す本体は、合成樹脂、あるいは金属製となるが、符合Ａ、Ｂ、Ｃ、Ｄ、Ｅ、Ｆ、Ｇは重要である。特に本体のＨ部分はプレスして広がった穂先をきちんと整える重要な役割を果たす。
【背景技術】
【０００５】  従来、穂先の磨り減った穂はまだ柄がしっかりしていても本体ごと処分するしかなかった。【０００６】  柄長箒については運搬が難儀であった。特に乗用車等での買出しは難儀であった。
【発明しようとする課題】
【０００７】  環境問題が重視される今日、自然資源に関わる問題にも貢献度が高く、手軽に運搬が出来る事を目的とする。
【解決手段】
【０００８】  上述したように、柄、本体、穂先の三つに分けて製造する事にした。
【発明効果】
【０００９】  穂先の取外し、穂先の取替えが出来るので、従来の箒の半分の長さになり、運搬および収納が容易になった。又、製造コストの面でも安価に出来る事になる。
【図面の簡単な説明】
【００１０】
【図１】  申請した本発明箒の本体部分である。
【図２】  申請した本発明箒の穂先部である。
【図３】  申請した本発明箒の柄である。
【図４】  組立終了後の箒の本体である。
【図５】  円筒形パイプの外観斜視図である。
【図６】  図５のパイプの中に穂材を入れた外観斜視図である。
【図７】  図６を圧縮加工した外観斜視図である。
【図８】  図７を真上から見た図である。
【図９】  図１本体を真上から見た図である。
【図１０】  図１の受け部を真上から見た図である。
【符号の説明】
【００１１】Ａ  柄を入れて固定するための筒穴である。
Ｂ  柄の固定を強化するためのネジとその穴を示す。
Ｃ  図２で示す穂先の接続部分が入る筒穴である。
Ｄ  図２の抜け落ちないようにするネジであり穂先を取り替える時のネジでもある。
Ｅ  符号Ｇとかみ合う凸部分である。
Ｆ  穂先が抜けにくくするためにプレス時に開いた穴であり符号Ｄのネジがあう穴である。
Ｇ  穂先を結束させる凹形にプレス加工したパイプである。
Ｈ  柄と穂先を接合する本体部分である。
図７、図９、図１０に示す符号は、符号Ａ、Ｂ、Ｃ、Ｄ、Ｅ、Ｆ、Ｇと同じ物を示すものである。
【図１】
2006141917.tif 000003
【図２】
2006141917.tif 000004
【図３】
2006141917.tif 000005
【図４】
2006141917.tif 000006
【図５】
2006141917.tif 000007
【図６】
2006141917.tif 000008
【図７】
2006141917.tif 000009
【図８】
2006141917.tif 000010
【図９】
2006141917.tif 000011
【図１０】
2006141917.tif 000012
(57)【要約】      （修正有）【課題】たびたびブラシを洗う必要が無く、また掻き取った舌苔を洗い流しながら磨くことができる、舌の形態に合った湾曲を付与することにより舌全体を容易に磨くことができる舌ブラシを提供する。【解決手段】舌に合わせた湾曲を付与した形態の舌ブラシヘッド部Ａを中空にし着脱可能な水吸い上げパイプＥと、植毛部根元に水排出用の穴Ｂを設ける。軟質樹脂製のハンドル部に水を入れ、それを強く握ることにより、水吸い上げパイプを通った水が、水排出用の穴Ｂから出て注水しながら舌を磨けるようにする。また、アダブターＦの使用によりウォーターピックＧに容易に装着でき、連続流水下で舌を磨けるようにする。【選択図】図２
2006141913.tif 000002
【特許請求の範囲】
【請求項１】
ブラシヘッド部を中空にし、植毛部根元の穴から水が出ることを特徴とする舌ブラシ。
【請求項２】
ブラシ部分に舌の形態に合わせた湾曲を付与したことを特徴とする請求項１記載の舌ブラシ。
【請求項３】
ブラシヘッド部はアダブター使用により、ウォーターピックにも装着可能であることを特徴とする請求項１に記載の舌ブラシ。
【発明の詳細な説明】
【技術分野】
【０００１】  この発明は、舌苔を除去する舌ブラシの形状に関する。
【特許文献１】特開２００１−３１４２３２  舌洗浄機能付き歯ブラシ
【特許文献２】特開２００１−０２９１３６  舌ブラシ
【背景技術】
【０００２】  従来の舌ブラシは、図３に示すように、持ち手（Ｉ）に横型の平面的なブラシ（Ｈ）が付いた、歯ブラシを変形させただけの形状であった。
【発明の開示】
【発明が解決しようとする課題】
【０００３】  しかしながら、以上の技術によれば、たびたびブラシを洗わなければブラシ部に舌苔が溜まって思うように綺麗に舌を磨くことが出来ないばかりか、舌面中央部にしかブラシが当たらず、力を入れて磨きすぎると舌がヒリヒリ痛くなってしまった。
そこで、この発明は、植毛部根元の穴から水が出る形状で、たびたびブラシを洗う必要が無く、また掻き取った舌苔を洗い流しながら磨くことができる、舌の形態に合った湾曲を付与することにより舌全体を容易に磨くことができる舌ブラシを提供することを課題とする。
さらに、アダブター使用によりウォータピックに装着して連続流水下でも舌を磨くことのできる舌ブラシを提供することを課題とする。
【課題を解決するための手段】
【０００４】  以上の課題を解決するために、第一発明は、中空の舌ブラシヘッド部の植毛部根元の穴から水が出ることを特徴とする舌ブラシである。
また、第二発明は、ブラシの形態を舌の形態に合わせて湾曲させたことを特徴とする舌ブラシである
第三発明は、アダブターの使用によりウォーターピックに装着しても使用できることを特徴とする舌ブラシである。
【発明の効果】
【０００５】  第一発明によれば、舌ブラシの植毛部根元の穴から水が出ることにより、たびたびブラシに付着した舌苔を洗うことなく、効果的に舌苔の除去ができる。
次に、第二発明によれば、舌形態に合った湾曲を付与したことにより、舌全面の舌苔を効果的に除去することができる。
また、第三発明によれば、アダブター使用によりウォーターピックに装着できるため連続注水下で磨くことが可能になりさらに効果的に舌苔を除去することができる。
【発明を実施するための最良の形態】
【０００６】  この発明の一実施形態を、図１に示す。
舌ブラシの湾曲したヘッド部（Ａ）は中空であり圧力により水を排出する着脱可能なパイプ（Ｅ）を設け、ブラシの植毛部根元には水を排出する穴（Ｂ）が設けられている。ハンドル部（Ｃ）はポリエチレン等の軟質樹脂ボトルで、ヘッドとハンドル部の接続部（Ｄ）は水圧で外れにくいスクリュー式とする。【０００７】  この発明の実施形態は図２に示すように、ヘッド部（Ａ）より水吸い上げパイプ（Ｅ）を外し、内部が軟性ゴム質のアダブター（Ｆ）を接続部（Ｄ）と同サイズのスクリュー式接続で装着することにより、従来販売されているウォーターピック（Ｇ）を接続できる形態とする。【０００８】「実施形態の効果」
歯科医師として、細菌の温床となる不快な舌苔の効果的な除去法を模索していたが、この実施形態によれば、図１のハンドル部（Ｃ）を強く握ることにより、水吸い上げパイプ（Ｅ）を通った水がヘッド部（Ａ）に付与された穴（Ｂ）より流れ出て、舌の形態に合うように湾曲したブラシに掻き取られた舌苔を洗い流しながら効果的に舌全体の舌苔を除去できる。従来の舌ブラシと比較にならない効果がある。また、図２のアダブター（Ｆ）の使用によりウォーターピック（Ｇ）を接続して連続注水下でさらなる効果が得られる。【０００９】「他の実施形態」
図１の実施形態で、ヘッド（Ａ）とハンドル（Ｃ）の接続部（Ｄ）はスクリュー式としたが、水圧で外れず、水漏れしなければ、他の接続形態でも差し支えは無い。この発明の実施形態は低価格であることと持ち運べることを考慮に入れ、ウォーターピックに接続可能な発明としたが、家庭に設置しての目的であればウォーターピックのように電動水タンクを水源とする装置としての実施形態も可能である。【００１０】「従来の舌ブラシの形態と効果」
図３は従来の舌ブラシの形態であり、ヘッド部（Ｈ）の植毛部に湾曲は無く、またハンドル部（Ｉ）は硬質樹脂で水を排出する機能は有していない。
そのため舌苔を除去する能率が悪く、力を入れて舌面を擦りすぎて舌乳頭に炎症を起こすこともある。
【図面の簡単な説明】
【００１１】
【図１】この発明の第一発明、第二発明の実施形態を示す斜視図。
【図２】この発明の第三発明であるウォーターピックとの接続についての実形態を示す斜視図。
【図３】従来技術を示す斜視図である。
【符号の説明】
【００１２】（Ａ）ヘッド
（Ｂ）植毛根部の穴
（Ｃ）ハンドル部
（Ｄ）接続部
（Ｅ）水吸い上げパイプ
（Ｆ）アダブダー
（Ｇ）ウォーターピック
（Ｈ）従来型舌ブラシヘッド部
（Ｉ）従来型舌ブラシハンドル部
【図１】
2006141913.tif 000003
【図２】
2006141913.tif 000004
【図３】
2006141913.tif 000005
(57)【要約】【課題】  近年、高齢化が進み、高齢者の方が食事をする際、箸を握る指の力が衰え、食材をつまむ事の出来ない、年老いた方が増えて来ている。  指の力が衰えても小さな力で箸を握るだけで、食材をつまむ事を可能にする。【解決手段】  箸、外周部が軟らかく、クッション性、弾力性を有する部材で出来ている為に食材が、ずり落ちる事が無い。  この為、小さな握る指の力で、食材をつまんでも箸から食材がずり落ちない。【選択図】図１
2006141916.tif 000002
【特許請求の範囲】
【請求項１】
箸、中心部に硬い心材を設け、心材外部周辺に軟らかくクッション性、弾力性の有する部材を設け、食材のずり落ちを防ぐ握力を補う箸。
【発明の詳細な説明】
【技術分野】
【０００１】  本発明は、食事をする際用いる箸に関する。
【背景技術】
【０００２】  近年、高齢化が進み、高齢者の手の握力が弱まり箸で食事の食材をつかみ持つ事の出なくなくなった高齢者が多くなった。【０００３】  箸の代わりに、爪付きスプーン、ホーク等が有りこれ等を活用しているが、高齢者が長年使いなれた箸に執着があり、老いても小さな握力で食材をつかむ事の出来る箸の要望があった。【０００４】  又、幼児期に箸を持つ習慣をしつけとして、箸の持ち方の、練習の為の箸が市場に見受けられますが、幼児期の、子供の指の箸を握る力が小さい為、食材を箸で持つ事に技術を要する。【０００５】  この為、箸の使えない子供が多いのも現実である。
【特許文献１】特願２００３−０４０４０８
【特許文献２】特願２０００−０８５８５４
【発明の開示】
【発明が解決しようとする課題】
【０００６】  解決しようとする問題点は、箸で、食材をつまむ手の握力、指で箸を握る力が衰えた為、箸から、食材がずり落ちる点で有る。【０００７】  従来の箸はしで、食材を掴み持つ場合、箸が硬い為、食材と、箸の接地面積が小さく、食材が箸よりずり落ちる、食材のずり落ちを防ぐ為に、箸に力を込めて、食材をつまんでいた。【０００８】    箸が硬く、箸の食材をつかむ面積が小さい事が問題点である。
【課題を解決しようとする課題】
【０００９】  本発明は、箸本体に軟らかく、クッション性弾力性の有する部材を設けている為、箸が食材をつまむ際、箸と、食材の接地面積が大きく、食材が箸よりずり落ちる事が無い。
【００１０】  箸中心に、硬い心材を設け、硬い心材に巻き付けた軟弱性クッション性、弾力性の有する部材を設けた事で、小さな力で箸を握り食材のずり落ちを防止でき、食材をつかむ事が出来る事を最も主要な特徴とする。
【発明の効果】
【００１１】  本発明の、握力を補う箸では、箸自体が、軟らかくクッション性、弾力性が有るので、硬い食材から、軟らかい食材、量の大きい重い食材まで小さな箸を握る力で食材をつかむ事が出来、食材が箸からずり落ちる事が無い、小さな握る力で箸を握り、食材をつまむ事が出来る利点がある。
【発明を実施する為の最良の形態】
【００１２】  箸の中心に用いる心材は、箸が硬い食材をつまむ際、心材が曲がる事の無い最小限の太さと強度を有し、心材外周部に巻きつけている軟らかくクッション性、弾力性を有する部材を設け、既存の箸の大きさに抑え込んだ、握る手に優しい箸が実現した。
【実施例１】
【００１３】  図１は、箸の斜視図であって、心材２外周に巻き付けた軟らかくクッション性、弾力性の有する部材３である。【００１４】  外周に巻き付けた軟らかくクッション性、弾力性の有する部材３に殺菌効果の有する溶剤を塗布しても良い。【００１５】  箸中心部材の心材を殺菌効果の有する溶剤を塗布した物を用いても良い。【００１６】  箸中心部材の心材を殺菌効果の有する銀製の棒状を用いても良い。【００１７】  箸、中心心材に、巻き付けている部材を、引き剥きが可能にしても良い。【００１８】  箸、中心心材に、巻き付けている部材を、心材が差し込み入る円筒状の形状としても良い。【００１９】  箸の食材をつまむ箇所の形状を、指で握る太さより多少太めとしても良い。【００２０】  箸の食材をつまむ箇所の形状断面を楕円形としても良い。【００２１】  箸の食材をつまむ箇所の形状断面を角型としても良い。
【産業上の利用可能性】
【００２２】  年老いて、指の握る力の衰えた方でも小さな握る力で食材をつまむことが出来る為、老いても安心して箸を用いた食事が可能になる。
【図面の簡単な説明】
【００２３】
【図１】箸の斜視図
【図２】箸の食材をつまむ箇所の形状が円錐状の斜視図
【図３】心材が差し込み入る角型筒状の形状の軟らかいクッション性、弾力性の部材断面斜視図
【符号の説明】
【００２３】  １  箸本体
２  箸の心材
３  柔らかく、クッション性、弾力性の有する部材
【図１】
2006141916.tif 000003
【図２】
2006141916.tif 000004
【図３】
2006141916.tif 000005